(57)【要約】【課題】講演者自身が直感的に判断でき、すばやく指し示したい位置にポインター表示させることのできる、プロジェクター、プロジェクター用リモコンおよびポインターシステムを提供する。【解決手段】プロジェクター１０４に投写映像捕獲手段３０７と捕獲映像格納手段３１１と捕獲映像リサイズ手段３０９と無線映像送信手段３１０を構成し、リモコン１０５上の液晶画面２０２のサイズに合わせてリサイズした投写映像を送信し、リモコン１０５の無線映像受信手段３１４によって送信される映像を受信し、リモコン１０５の液晶画面２０２に表示させ、表面のタッチスクリーン２０３を講演者が投写映像の指し示したい位置をタッチペン２０４でタッチすることによって投写映像中の画像座標をリモコン１０５からプロジェクター１０４へ送信し、プロジェクター１０５が送信された座標を元に投写映像にポインター合成手段３０８によりポインターを重畳して表示させる。【選択図】図３
2007279869.tif 000002
【特許請求の範囲】
【請求項１】
映像入力手段と、前記映像入力手段からの入力映像を映像投写手段のサイズに合わせるための映像リサイズ手段と、前記映像リサイズ手段によりリサイズされた映像が入力される映像出力手段と、前記映像出力手段からの出力映像を捕獲する映像捕獲手段と、前記映像捕獲手段で捕獲した映像を格納する捕獲映像格納手段と、捕獲した映像をリサイズする捕獲映像リサイズ手段と、前記捕獲映像リサイズ手段によりリサイズされた映像を無線で送信する無線映像送信手段と、赤外線による遠隔制御装置からのコマンドを受け取る赤外線コマンド受信手段と、前記赤外線コマンド受信手段からポインターの表示座標を検出するポインター表示座標設定手段と、前記映像出力手段からの出力映像に前記ポインター表示座標設定手段から渡された表示座標位置にポインターを合成するポインター合成手段と、スクリーンへ合成された映像を投写する映像投写手段とを有するプロジェクター。
【請求項２】
液晶画面と、前記液晶画面の表面に配置されたタッチスクリーンと、複数のボタンＳＷと、押下された前記ボタンＳＷを判別するボタン押下判別手段と、プロジェクターからの無線映像を受信する無線映像受信手段と、受信した映像を格納する受信映像格納手段と、映像を前記液晶画面に表示する液晶画面表示手段と、前記タッチスクリーンに指またはタッチペンによりタッチされた座標を検出する入力座標検出手段と、ボタン押下操作および入力座標をプロジェクターへ赤外線コマンドとして送信する赤外線コマンド送信手段とを有するプロジェクター用リモコン。
【請求項３】
請求項１記載のプロジェクターと請求項２記載のプロジェクター用リモコンとからなり、前記リモコンの液晶画面に前記プロジェクターが投写している映像が映し出され、前記液晶画面上のタッチスクリーンをタッチすることで、前記プロジェクターの投写映像の対応する箇所にポインターが映し出されるように構成したことを特徴とするポインターシステム。
【請求項４】
映像入力手段と、前記映像入力手段からの入力映像を映像投写手段のサイズに合わせるための映像リサイズ手段と、前記映像リサイズ手段によりリサイズされた映像が入力される映像出力手段と、前記映像出力手段からの出力映像を捕獲する映像捕獲手段と、前記映像捕獲手段で捕獲した映像を格納する捕獲映像格納手段と、捕獲した映像を無線で送信する無線映像送信手段と、赤外線による遠隔制御装置からのコマンドを受け取る赤外線コマンド受信手段と、前記赤外線コマンド受信手段からポインターの表示座標を検出するポインター表示座標設定手段と、前記映像出力手段からの出力映像に前記ポインター表示座標設定手段から渡された表示座標位置にポインターを合成するポインター合成手段と、スクリーンへ合成された映像を投写する映像投写手段とを有するプロジェクター。
【請求項５】
液晶画面と、前記液晶画面の表面に配置されたタッチスクリーンと、複数のボタンＳＷと、押下された前記ボタンＳＷを判別するボタン押下判別手段と、プロジェクターからの無線映像を受信する無線映像受信手段と、受信した映像を格納する受信映像格納手段と、受信した映像を前記液晶画面の表示サイズに合わせるための受信映像リサイズ手段と、映像を前記液晶画面に表示する液晶画面表示手段と、前記タッチスクリーンにタッチペンによりタッチされた座標を検出する入力座標検出手段と、ボタン押下操作および入力座標をプロジェクターへ赤外線コマンドとして送信する赤外線コマンド送信手段とを有するプロジェクター用リモコン。
【請求項６】
請求項４記載のプロジェクターと請求項５記載のプロジェクター用リモコンとからなり、前記リモコンの液晶画面に前記プロジェクターが投写している映像が映し出され、前記液晶画面上のタッチスクリーンをタッチすることで、前記プロジェクターの投写映像の対応する箇所にポインターが映し出されるように構成したことを特徴とするポインターシステム。
【請求項７】
液晶画面と、外部に接続されたマウスなどのポインティングデバイス入力手段により前記液晶画面上に指定された座標位置を設定するポインター入力座標設定手段と、プロジェクターからの無線映像を受信する無線映像受信手段と、受信した映像を格納する受信映像格納手段と、受信した映像を前記液晶画面の表示サイズに合わせるための受信映像リサイズ手段と、映像を前記液晶画面に表示する液晶画面表示手段と、前記液晶画面表示手段からの映像に前記ポインター入力座標設定手段により設定された座標にポインターを合成するポインター合成手段と、前記ポインター入力座標設定手段により設定された座標をプロジェクターへ赤外線コマンドとして送信する赤外線コマンド送信手段とを有するプロジェクター用リモコン。
【請求項８】
請求項４記載のプロジェクターと請求項７記載のプロジェクター用リモコンとからなり、前記リモコンの液晶画面に前記プロジェクターが投写している映像が映し出され、前記液晶画面上にポインターが表示され、マウスなどのポインティングデバイス入力手段により前記ポインターの座標位置を移動させるとともに、前記プロジェクターの投写映像の対応する箇所にポインターが映し出されるように構成したことを特徴とするポインターシステム。
【請求項９】
プロジェクターとリモコンとの間のコマンド通信を無線ＬＡＮによる通信で行うことを特徴とする前記請求項３または請求項６または請求項８記載のポインターシステム。
【発明の詳細な説明】
【技術分野】
【０００１】
本発明はスクリーンに映像を投写するプロジェクターと、プロジェクターを遠隔操作するプロジェクター用リモコン、およびスクリーンに投写表示された映像の当該箇所にリモコン操作によりポインターを表示するポインターシステムに関するものである。
【背景技術】
【０００２】
従来のプロジェクターを用いたシステムでのポインターは、リモコンからスクリーンに講演者が直接レーザー光を出力し指し示すことが行われていた。また近年では特許文献１に示されるように、赤外線レーザーを用いてスクリーン上のポイントを指し、赤外線カメラで撮像することでポインター位置を決定しポインターを映像に合成する方法が考案されている。
【特許文献１】特開平１１−８５３９５号公報
【発明の開示】
【発明が解決しようとする課題】
【０００３】
上記従来の構成では、レーザーで指し示すのは講演者自身であるため、どうしてもポイントしている部分が揺れてしまう。また、画面上の何処をポイントしているのか講演者も分からなくなり、ポインターを上下左右に動かすことで何処をポイントしているかを見つけ出さなければならなくなるという課題を有している。
【０００４】
本発明は、上記従来の課題を解決するもので、講演者自身が指し示したい位置を直感的に判断でき、すばやく指し示したい位置にポインター表示させることのできる、プロジェクター、プロジェクター用リモコンおよびポインターシステムを提供することを目的とする。
【課題を解決するための手段】
【０００５】
上記従来の課題を解決するために、本発明の請求項１のプロジェクターは、映像入力手段と、前記映像入力手段からの入力映像を映像投写手段のサイズに合わせるための映像リサイズ手段と、前記映像リサイズ手段によりリサイズされた映像が入力される映像出力手段と、前記映像出力手段からの出力映像を捕獲する映像捕獲手段と、前記映像捕獲手段で捕獲した映像を格納する捕獲映像格納手段と、捕獲した映像をリサイズする捕獲映像リサイズ手段と、前記捕獲映像リサイズ手段によりリサイズされた映像を無線で送信する無線映像送信手段と、赤外線による遠隔制御装置からのコマンドを受け取る赤外線コマンド受信手段と、前記赤外線コマンド受信手段からポインターの表示座標を検出するポインター表示座標設定手段と、前記映像出力手段からの出力映像に前記ポインター表示座標設定手段から渡された表示座標位置にポインターを合成するポインター合成手段と、スクリーンへ合成された映像を投写する映像投写手段とを有する構成となる。
【０００６】
また、本発明の請求項２のプロジェクター用リモコンによれば、液晶画面と、前記液晶画面の表面に配置されたタッチスクリーンと、複数のボタンＳＷと、押下された前記ボタンＳＷを判別するボタン押下判別手段と、プロジェクターからの無線映像を受信する無線映像受信手段と、受信した映像を格納する受信映像格納手段と、映像を前記液晶画面に表示する液晶画面表示手段と、前記タッチスクリーンに指またはタッチペンによりタッチされた座標を検出する入力座標検出手段と、ボタン押下操作および入力座標をプロジェクターへ赤外線コマンドとして送信する赤外線コマンド送信手段とを有する構成としたものである。
【０００７】
また、本発明の請求項３のポインターシステムによれば、請求項１記載のプロジェクターと請求項２記載のプロジェクター用リモコンとからなり、前記リモコンの液晶画面に前記プロジェクターが投写している映像が映し出され、前記液晶画面上のタッチスクリーンをタッチすることで、前記プロジェクターの投写映像の対応する箇所にポインターが映し出される構成としたものである。
【０００８】
また、本発明の請求項４のプロジェクターによれば、映像入力手段と、前記映像入力手段からの入力映像を映像投写手段のサイズに合わせるための映像リサイズ手段と、前記映像リサイズ手段によりリサイズされた映像が入力される映像出力手段と、前記映像出力手段からの出力映像を捕獲する映像捕獲手段と、前記映像捕獲手段で捕獲した映像を格納する捕獲映像格納手段と、捕獲した映像を無線で送信する無線映像送信手段と、赤外線による遠隔制御装置からのコマンドを受け取る赤外線コマンド受信手段と、前記赤外線コマンド受信手段からポインターの表示座標を検出するポインター表示座標設定手段と、前記映像出力手段からの出力映像に前記ポインター表示座標設定手段から渡された表示座標位置にポインターを合成するポインター合成手段と、スクリーンへ合成された映像を投写する映像投写手段とを有する構成としたものである。
【０００９】
また、本発明の請求項５のプロジェクター用リモコンによれば、液晶画面と、前記液晶画面の表面に配置されたタッチスクリーンと、複数のボタンＳＷと、押下された前記ボタンＳＷを判別するボタン押下判別手段と、プロジェクターからの無線映像を受信する無線映像受信手段と、受信した映像を格納する受信映像格納手段と、受信した映像を前記液晶画面の表示サイズに合わせるための受信映像リサイズ手段と、映像を前記液晶画面に表示する液晶画面表示手段と、前記タッチスクリーンにタッチペンによりタッチされた座標を検出する入力座標検出手段と、ボタン押下操作および入力座標をプロジェクターへ赤外線コマンドとして送信する赤外線コマンド送信手段とを有する構成としたものである。
【００１０】
また、本発明の請求項６のポインターシステムによれば、請求項４記載のプロジェクターと請求項５記載のプロジェクター用リモコンとからなり、前記リモコンの液晶画面に前記プロジェクターが投写している映像が映し出され、前記液晶画面上のタッチスクリーンをタッチすることで、前記プロジェクターの投写映像の対応する箇所にポインターが映し出される構成としたものである。
【００１１】
また、本発明の請求項７のプロジェクター用リモコンによれば、液晶画面と、外部に接続されたマウスなどのポインティングデバイス入力手段により前記液晶画面上に指定された座標位置を設定するポインター入力座標設定手段と、プロジェクターからの無線映像を受信する無線映像受信手段と、受信した映像を格納する受信映像格納手段と、受信した映像を前記液晶画面の表示サイズに合わせるための受信映像リサイズ手段と、映像を前記液晶画面に表示する液晶画面表示手段と、前記液晶画面表示手段からの映像に前記ポインター入力座標設定手段により設定された座標にポインターを合成するポインター合成手段と、前記ポインター入力座標設定手段により設定された座標をプロジェクターへ赤外線コマンドとして送信する赤外線コマンド送信手段とを有する構成としたものである。
【００１２】
また、本発明の請求項８のポインターシステムによれば、請求項４記載のプロジェクターと請求項７記載のプロジェクター用リモコンとからなり、前記リモコンの液晶画面に前記プロジェクターが投写している映像が映し出され、前記液晶画面上にポインターが表示され、マウスなどのポインティングデバイス入力手段により前記ポインターの座標位置を移動させるとともに、前記プロジェクターの投写映像の対応する箇所にポインターが映し出される構成としたものである。
【００１３】
また、本発明の請求項９のポインターシステムによれば、請求項３または請求項６または請求項８記載のポインターシステムにおいて、リモコンとプロジェクターの間のコマンド通信を無線ＬＡＮで通信する構成としたものである。
【発明の効果】
【００１４】
本発明のプロジェクター、プロジェクター用リモコンおよびポインターシステムによれば、映像捕獲手段によりパソコンからの静止映像入力およびＶＩＤＥＯデッキまたはＤＶＤプレーヤーなどのＶＩＤＥＯ映像をリアルタイムに捕獲でき、捕獲した映像をリモコンへリアルタイムに送信するためリモコンへは常にスクリーンに投写されている映像と同一の映像が表示される。講演者はリモコン上に表示された投写映像と同一の映像を直感的にポイントすることによって指し示したい位置を指示することができ、その指示された位置に直接ポインターが表示されるためポインターの位置を移動する煩わしさを解消することができ、液晶画面をポイントしたときだけにポインター位置をプロジェクターへ送信するためポイントしていないときはその前にポイントしていた位置にポインターが表示されているため、講演者の腕の揺れなどでポインターが揺れるようなことも発生しなくなる。
【発明を実施するための最良の形態】
【００１５】
以下本発明を実施するための最良の形態について、図面を参照しながら説明する。
【００１６】
（実施の形態１）
図１は、本発明の実施の形態１におけるポインターシステムの全体構成を表した図である。図１において、スクリーン１０２は、プロジェクター１０４からの投写映像を反射して表示している。プロジェクター１０４への入力映像としてパソコン１０３またはＶＩＤＥＯデッキ１０６からの映像が入力される。リモコン１０５からの座標データによってポインター１０１がスクリーン１０２へ表示される構成となっている。
【００１７】
図２は、図１におけるリモコン１０５の概略外観を示す図であり、リモコン本体１０５と液晶画面２０２およびタッチスクリーン２０３からなっており、タッチスクリーン２０３への入力をタッチペン２０４によって行うことを示している。
【００１８】
図３は、プロジェクターおよびリモコンの内部構成を示した図であり、プロジェクター１０４の内部構成としては、映像入力手段３０４によってＶＩＤＥＯデッキまたはパソコンからの映像を入力する。入力された映像は映像リサイズ手段３０２によって映像投写手段３１２に合わせたサイズにリサイズ（サイズ変更）される。リサイズされた映像は映像出力手段３０３へ入力され、映像出力手段３０３からの出力を映像捕獲手段３０７によって捕獲し、捕獲した映像を捕獲映像格納手段３１１によって格納し、格納された映像を捕獲映像リサイズ手段３０９によって液晶画面２０２で表示可能な画像サイズにリサイズして、無線映像送信手段３１０へ渡される。無線映像送信手段３１０ではリモコンとの無線通信を確立し、リサイズされた捕獲画像をリモコン１０５へ送信する。リモコン１０５における無線映像受信手段３１４によって、プロジェクター１０４から送信された映像を受信し、受信映像格納手段３１５に渡し、液晶画面表示手段３１６によってポインティング映像表示手段３１７の液晶画面２０２上に表示される。ここまでの構成により、プロジェクター１０４により投写されると、同一の映像がリモコン１０５の液晶画面に表示されるようになる。
【００１９】
次に、投写映像上にポインターを表示させる動作について説明する。まず、リモコン１０５のポインティング映像表示手段３１７のタッチスクリーン２０３を、図２におけるタッチペン２０４によってタッチし、その座標を入力座標検出手段３２０によって検出し、赤外線コマンド送信手段３２１に渡されプロジェクターへ送信される。リモコン１０５では、ボタンＳＷ３２２と押下ボタン判別手段３２３によって、入力切替をプロジェクター１０４へ指示する機能も有しており、この指示も赤外線コマンド送信手段３２１によってプロジェクター１０４へ送信される。プロジェクター１０４では、赤外線コマンド受信手段３０５によって、リモコン１０５の赤外線コマンド送信手段３２１から送信されたコマンドを受信する。受信されたコマンドは、入力切替コマンドであれば映像入力手段３０４へ渡され、ポインティング座標であればポインター表示座標設定手段３０６に渡される。ポインター表示座標設定手段３０６によって、投写映像上のポインター１０１を表示する座標を確定し、ポインター合成手段３０８に座標が渡され、映像出力手段３０３から出力された映像にポインターが合成され、映像投写手段３１２に入力され、スクリーンに投写される。ここまでの構成により、リモコン１０５の液晶画面２０２に重ねて配置されたタッチスクリーン２０３をタッチすることで、直接投写映像の座標を指定することができ、投写映像の指し示したい位置にポインターを表示させることができる。
【００２０】
また、タッチスクリーン２０３をタッチしない限りポインターの位置を指定するコマンドは送信されないため、表示されたポインターが揺れるようなことも発生しなくなる。
【００２１】
（実施の形態２）
図４は本発明の実施形態２のプロジェクター、プロジェクター用リモコンおよびポインターシステムにおけるプロジェクターとリモコンの内部構成を示した図である。図４において、実施形態１における図３と同じ構成要素については同じ符号を用い説明を省略する。
【００２２】
実施形態１における図３においてプロジェクター１０４にあった捕獲映像リサイズ手段３０９は省略され、捕獲された映像が直接無線映像送信手段３１０に送られる。また、リモコン１０５において、受信画像格納手段３１５と液晶画面表示手段３１６との間に受信画像リサイズ手段４０１を配置し、プロジェクター１０４の投写映像と同一の映像をリモコン１０５側でリサイズするように構成している。
【００２３】
この構成によると、プロジェクター１０４の構成を簡略化できるため、プロジェクターの本体サイズを縮小することが可能となる。
【００２４】
（実施の形態３）
図５は本発明の実施形態３のプロジェクター、プロジェクター用リモコンおよびポインターシステムにおけるリモコンにポインティングデバイスを接続した場合の構成を示した図である。また図６は本実施形態におけるプロジェクターのリモコンの内部構成を示した図である。プロジェクターは、実施形態１における図３と同じ構成である。
【００２５】
この構成によると、リモコン１０５に接続されたマウスなどのポインティングデバイス５０１によって、リモコン１０５のポインター入力座標設定手段６０１へポインターの移動距離が通知され、ポインター入力座標設定手段６０１により、リモコン１０５の液晶画面へのポインター合成座標と、赤外線コマンド送信手段３２１へポインターの座標を通知し、ポインター合成手段６０２によって、液晶画面２０２に非図示のポインターが表示される。この構成によって、ポインティングデバイス５０１でリモコン１０５の液晶画面２０２に表示されている非図示のポインターを移動させることで、その座標を入力座標検出手段３２０によって検出し、赤外線コマンド送信手段３２１に渡されプロジェクター１０４へ送信される。これにより、投写画面上のポインター位置を指定でき、投写映像の指し示したい位置にポインターを表示させることができる。
【００２６】
このように、本発明のプロジェクターおよびポインターシステムは、映像捕獲手段により、パソコンからの静止映像入力およびＶＩＤＥＯデッキまたはＤＶＤプレーヤーなどのＶＩＤＥＯ映像をリアルタイムに捕獲でき、捕獲した映像をリモコンへリアルタイムに送信するためリモコンへは常にスクリーンに投写されている映像と同一の映像が表示される。講演者はリモコン上に表示された投写映像と同一の映像を直感的にポイントすることによって指し示したい位置を指示することができ、その指示された位置に直接ポインターが表示されるためポインターの位置を移動する煩わしさを解消することができ、液晶画面をポイントしたときだけにポインタ位置をプロジェクターへ送信するためポイントしていないときはその前にポイントしていた位置にポインターが表示されているため、講演者の腕の揺れなどでポインターが揺れるようなことも発生しなくなる。
【産業上の利用可能性】
【００２７】
本発明にかかるプロジェクター、プロジェクター用リモコンおよびポインターシステムは、スクリーン映像を投写するプロジェクターと、スクリーンに表示された投写映像の当該箇所にリモコン操作によりポインターを表示するポインターシステムに有用である。
【図面の簡単な説明】
【００２８】
【図１】本発明の実施形態１におけるプロジェクターおよびポインターシステムの全体構成図
【図２】本発明の実施形態１におけるリモコンの全体概略構成図
【図３】本発明の実施形態１におけるプロジェクターとリモコンの内部構成図
【図４】本発明の実施形態２におけるプロジェクターとリモコンの内部構成図
【図５】本発明の実施形態３におけるリモコンとポインティングデバイスの接続図
【図６】本発明の実施形態３におけるリモコンの内部構成図
【符号の説明】
【００２９】
１０１  ポインター
１０２  スクリーン
１０３  パソコン
１０４  プロジェクター
１０５  リモコン
１０６  ＶＩＤＥＯデッキ
２０２  液晶画面
２０３  タッチスクリーン
２０４  タッチペン
３０２  映像リサイズ手段
３０３  映像出力手段
３０４  映像入力手段
３０５  赤外線コマンド受信手段
３０６  ポインター表示座標設定手段
３０７  映像捕獲手段
３０８  ポインター合成手段
３０９  捕獲映像リサイズ手段
３１０  無線映像送信手段
３１１  捕獲映像格納手段
３１２  映像投写手段
３１４  無線映像受信手段
３１５  受信画像格納手段
３１６  液晶画面表示手段
３１７  ポインティング映像表示手段
３２０  入力座標検出手段
３２１  赤外線コマンド送信手段
３２２  ボタンＳＷ
３２３  押下ボタン判別手段
４０１  受信画像リサイズ手段
５０１  ポインティングデバイス（マウス）
６０１  ポインター入力座標設定手段
６０２  ポインター合成手段
【図１】
2007279869.tif 000003
【図２】
2007279869.tif 000004
【図３】
2007279869.tif 000005
【図４】
2007279869.tif 000006
【図５】
2007279869.tif 000007
【図６】
2007279869.tif 000008